(57)【特許請求の範囲】
【請求項１】
柱状の本体部と、前記本体部の先端部から互いに離間して突出する複数の分岐部とを備え、
前記分岐部のそれぞれが、前記本体部内を軸方向に延び、かつ前記本体部から突出する
複数の柱状の分岐軸部で形成されている歯ブラシ用毛であって、
前記の複数の分岐軸部は、前記本体部の中心軸周りに環状に配置され、
前記本体部は、前記分岐軸部とは独立して先端に向かって徐々に細くなる先端部を有し、
前記分岐部が平面視で前記本体部の先端を囲うように位置し、
前記本体部における最も太い部分を軸方向に垂直な方向に切断した切断面において下式（１）〜（５）の条件を満たし、
前記本体部がポリブチレンテレフタレートで形成され、前記分岐軸部がポリブチレンナフタレートで形成されている、歯ブラシ用毛。
０．１０≦ｄ１／ｄ  ・・・（１）
０．１０≦ＳＢ／Ｓ≦０．３７  ・・・（２）
０．０３≦ＳＡ／ＳＢ≦０．３５  ・・・（３）
ｄ１＞ｄＡ  ・・・（４）
ｄ２≧４０  ・・・（５）
（ただし、前記式（１）〜（５）中、ｄは、前記本体部の直径であり、ｄ１は、前記分岐軸部の直径であり、ｄ２は、前記分岐軸部と前記本体部の外側面との距離（μｍ）である。ＳＡは、前記本体部の中心軸を中心とし、かつ前記の複数の分岐軸部のうち中心軸に最も近い分岐軸部に外接する仮想円Ａの面積であり、ｄＡは、前記仮想円Ａの直径である。ＳＢは、前記本体部の中心軸を中心とし、かつ前記の複数の分岐軸部のうち中心軸から最も遠い分岐軸部が内接する仮想円Ｂの面積である。Ｓは、前記本体部の断面積である。）
【請求項２】
０．２０≦ＳＢ／Ｓ≦０．３０を満たす、請求項１に記載の歯ブラシ用毛。
【請求項３】
前記分岐部の先端部が、先端に向かって徐々に細くなっている、請求項１又は２に記載の歯ブラシ用毛。
【請求項４】
前記分岐軸部の直径ｄ１が３０μｍ以上である、請求項１〜３のいずれか一項に記載の歯ブラシ用毛。
【請求項５】
前記分岐軸部の本数が４本以上である、請求項１〜４のいずれか一項に記載の歯ブラシ用毛。
【請求項６】
前記本体部の直径ｄが６〜８．５ｍｉｌである、請求項１〜５のいずれか一項に記載の歯ブラシ用毛。
【請求項７】
請求項１〜６のいずれか一項に記載の歯ブラシ用毛がヘッド部に植設された歯ブラシ。
【発明の詳細な説明】
【技術分野】
【０００１】
本発明は、歯ブラシ用毛及び歯ブラシに関する。
【背景技術】
【０００２】
歯周病予防のため、歯周ポケットの奥まで清掃できる歯ブラシ用毛として、用毛先端部が先端に向かって徐々に細くなる、いわゆる先鋭化テーパー毛が知られている。該先鋭化テーパー毛を備える歯ブラシは、歯周ポケットをはじめとする口腔内の細かな隙間の奥まで毛先が届くため、該隙間をしっかりと清掃することができる。しかし、毛先が先鋭化されているために、毛先が歯グキ等にあたったときの刺激が強く、また毛先での歯磨き剤の保持力が低いという問題がある。
【０００３】
歯ブラシ用毛としては、用毛先端部に複数の分岐部が形成された用毛、いわゆる先端分岐毛も提案されている（例えば、特許文献１〜５）。該先端分岐毛は、例えば、アルカリ溶液等の溶解液に対する溶解度に差がある２種類の樹脂を用いて形成される。具体的には、溶解液に溶解する樹脂で形成された複数の分岐軸部を、該樹脂よりも溶解液に対する溶解度が高い樹脂によって軸方向に全体的に覆って連結した用毛前駆体を製造し、該用毛前駆体の先端部分を溶解液に浸漬する。これにより、溶解液に対する溶解度が高く、溶解速度が遅い分岐軸部が先端部において露出し、複数の分岐部が形成される。該先端分岐毛においては、用毛先端部に先鋭化テーパー毛よりも細く、柔軟性の高い複数の分岐部が筆状に設けられているため、先鋭化テーパー毛に比べて歯グキ等への当たり心地が優しいうえ、毛先での歯磨き剤の保持力も高い。
【先行技術文献】
【特許文献】
【０００４】
【特許文献１】特開平９−３２２８２１号公報
【特許文献２】特開２００３−３３９４４５号公報
【特許文献３】特開２０１０−８２０９４号公報
【特許文献４】特開２０１３−８５５８６号公報
【特許文献５】国際公開第２０１４／０５０８６３号
【発明の概要】
【発明が解決しようとする課題】
【０００５】
しかし、先端部が分岐した歯ブラシ用毛では、用毛先端部の各々の分岐部が細いために弾力性に欠け、先鋭化テーパー毛に比べて歯周ポケットの清掃力が低くなる。また、用毛が２種類の樹脂で構成されているため、継続して使用すると分岐部の基端から用毛が裂けることがある。
【０００６】
本発明は、毛先での歯磨き剤の保持力が高く、歯グキ等への当たり心地が優しく、歯周ポケットの清掃力が高く、使用時に用毛が裂けにくい優れた耐久性を有する歯ブラシ用毛、及び該歯ブラシ用毛を備える歯ブラシを提供することを目的とする。
【課題を解決するための手段】
【０００７】
本発明は、以下の構成を有する。
［１］柱状の本体部と、前記本体部の先端部から互いに離間して突出する複数の分岐部とを備え、前記分岐部のそれぞれが、前記本体部内を軸方向に延び、かつ前記本体部から突出する複数の柱状の分岐軸部で形成されている歯ブラシ用毛であって、前記の複数の分岐軸部は、前記本体部の中心軸周りに環状に配置され、前記本体部の先端部は先端に向かって徐々に細くなっており、前記分岐部が平面視で前記本体部の先端を囲うように位置し、前記本体部における最も太い部分を軸方向に垂直な方向に切断した切断面において下式（１）〜（３）の条件を満たす、歯ブラシ用毛。
０．１０≦ｄ１／ｄ  ・・・（１）
０．１０≦ＳＢ／Ｓ≦０．３７  ・・・（２）
０．０３≦ＳＡ／ＳＢ≦０．３５  ・・・（３）
（ただし、前記式（１）〜（３）中、ｄは、前記本体部の直径であり、ｄ１は、前記分岐軸部の直径である。ＳＡは、前記本体部の中心軸を中心とし、かつ前記の複数の分岐軸部のうち中心軸に最も近い分岐軸部に外接する仮想円Ａの面積である。ＳＢは、前記本体部の中心軸を中心とし、かつ前記の複数の分岐軸部のうち中心軸から最も遠い分岐軸部が内接する仮想円Ｂの面積である。Ｓは、前記本体部の断面積である。）
［２］前記分岐部の先端部が、先端に向かって徐々に細くなっている、［１］に記載の歯ブラシ用毛。
［３］前記本体部がポリブチレンテレフタレートで形成され、前記分岐軸部がポリブチレンナフタレートで形成されている、［１］又は［２］に記載の歯ブラシ用毛。
［４］前記分岐軸部の直径ｄ１が３０μｍ以上である、［１］〜［３］のいずれかに記載の歯ブラシ用毛。
［５］前記分岐軸部の本数が４本以上である、［１］〜［４］のいずれかに記載の歯ブラシ用毛。
［６］前記本体部の直径ｄが６〜８．５ｍｉｌである、［１］〜［５］のいずれかに記載の歯ブラシ用毛。
［７］前記［１］〜［６］のいずれかに記載の歯ブラシ用毛がヘッド部に植設された歯ブラシ。
【発明の効果】
【０００８】
本発明の歯ブラシ用毛は、毛先での歯磨き剤の保持力が高く、歯グキ等への当たり心地が優しく、歯周ポケットの清掃力が高く、使用時に用毛が裂けにくい優れた耐久性を有している。
本発明の歯ブラシは、毛先での歯磨き剤の保持力が高く、歯グキ等への当たり心地が優しく、歯周ポケットの清掃力が高く、使用時に用毛が裂けにくく耐久性に優れている。
【図面の簡単な説明】
【０００９】
【図１】本発明の歯ブラシ用毛の一例を示した正面図である。
【図２】図１のＩ−Ｉ断面図である。
【図３】本発明の歯ブラシ用毛の他の例を示した断面図である。
【図４】本発明の歯ブラシ用毛の他の例を示した断面図である。
【図５】本発明の歯ブラシ用毛の他の例を示した断面図である。
【図６】本発明の歯ブラシの一例を示した平面図である。
【発明を実施するための形態】
【００１０】
［歯ブラシ用毛］
本発明の歯ブラシ用毛は、用毛先端部に複数の分岐部が形成されたいわゆる先端分岐毛である。以下、本発明の歯ブラシ用毛の一例を示して説明する。
本実施形態の歯ブラシ用毛１０は、図１及び図２に示すように、柱状の本体部１２と、本体部１２の先端部から互いに離間して突出する４本の分岐部１４と、を備える。
【００１１】
４本の分岐部１４のそれぞれは、本体部１２内を軸方向に延び、かつ本体部１２から突出する４本の柱状の分岐軸部１６で形成されている。このように、歯ブラシ用毛１０では、本体部１２の先端側において分岐軸部１６の一部が露出し、それら分岐軸部１６の露出した部分によって、本体部１２の先端部１２ａから突出する分岐部１４が形成されている。
【００１２】
この例の本体部１２の断面形状は円形状である。なお、本発明の歯ブラシ用毛の本体部の断面形状は、本発明の効果を損なわない範囲であれば円形状には限定されない。例えば、本発明では、本体部の断面形状は、矩形状、三角形状、不定形状等であってもよい。
本体部１２の先端部１２ａは、先端１２ｂに向かって徐々に細くなるテーパー形状になっている。これにより、本体部１２の先端部１２ａが歯周ポケットに入りやすくなるため、歯周ポケットの清掃力が高くなる。
【００１３】
この例の４本の分岐軸部１６は、本体部１２内において、本体部１２の中心軸周りに９０度間隔で、かつそれら分岐軸部１６のそれぞれの中心軸が平面視で同一円周上に位置するように環状に配置されている。これにより、この例の４本の分岐部１４は、平面視で本体部１２の先端１２ｂを囲うように９０度間隔で環状に位置している。
【００１４】
分岐部１４の基端から先端までの長さＬ１は、分岐部１４の基端から本体部１２の先端１２ｂまでの長さＬ２よりも長くなっている。
歯ブラシ用毛１０では、本体部１２の先端部１２ａから突出する４本の分岐部１４が形成されているため、毛先での歯磨き剤の保持力が高い。
【００１５】
この例の分岐軸部１６及び分岐部１４の断面形状は円形状である。
なお、本発明の歯ブラシ用毛における分岐軸部及び分岐部の断面形状は、本発明の効果を損なわない範囲であれば円形状には限定されない。例えば、本発明では、分岐軸部及び分岐部の断面形状は、矩形状、三角形状、不定形状等であってもよい。
【００１６】
この例の分岐部１４は、先端部が先端に向かって徐々に細くなるテーパー形状になっている。本発明では、このように分岐部の先端部が先端に向かって徐々に細くなっていることが好ましい。分岐部の先端部がこのようなテーパー形状になっていれば、当たり心地がより良好となり、使用感がより優れた歯ブラシ用毛となる。
なお、分岐部は、先端部がテーパー形状になっているものには限定されず、断面形状が高さ方向に同一の柱状になっていてもよい。
【００１７】
分岐部の先端部がテーパー形状になっている場合、本体部の先端部のテーパー角は分岐部の先端部のテーパー角よりも大きくなる。用毛先端部において、分岐部の基端からの長さ及びテーパー角が異なる、分岐部と本体部の先端部が組み合わせられることにより、歯周ポケットの清掃力、優しい当たり心地、及び歯磨き剤の保持力を兼ね備えた歯ブラシ用毛が得られやすくなる。具体的には、テーパー角が大きく、分岐部の基端からの長さが短い本体部の先端部により、歯周ポケット等の細かな隙間をしっかりと清掃することができる。また、テーパー角が小さく、分岐部の基端からの長さが本体部の先端部よりも長い分岐部により、優しい当たり心地と高い歯磨き剤の保持力が実現される。
【００１８】
歯ブラシ用毛１０は、本体部１２における最も太い部分を軸方向に垂直な方向に切断した切断面において、下式（１）〜（３）の条件を満たす。
０．１０≦ｄ１／ｄ  ・・・（１）
０．１０≦ＳＢ／Ｓ≦０．３７  ・・・（２）
０．０３≦ＳＡ／ＳＢ≦０．３５  ・・・（３）
【００１９】
ただし、式（１）〜（３）中、ｄは本体部１２の直径であり、ｄ１は分岐軸部１６の直径である。
ＳＡは、本体部１２の中心軸を中心とし、かつ４本の分岐軸部１６のうち中心軸に最も近い分岐軸部１６に外接する仮想円Ａの面積である。
ＳＢは、本体部１２の中心軸を中心とし、かつ４本の分岐軸部１６のうち中心軸から最も遠い分岐軸部１６が内接する仮想円Ｂの面積である。
Ｓは、本体部１２の断面積である。
【００２０】
この例では、直径が同じ円形状の各々の分岐軸部１６が、それぞれの中心軸が平面視で同一円周上に位置するように環状に配置されているため、仮想円Ａは全ての分岐軸部１６に外接する。また、仮想円Ｂには全ての分岐軸部１６が内接している。
【００２１】
歯ブラシ用毛１０が式（１）の条件を満たすことで、歯周ポケットの清掃力が高い歯ブラシ用毛１０となる。
本体部１２の直径ｄに対する分岐軸部１６の直径ｄ１の比（ｄ１／ｄ）は、０．１０以上であり、０．１２〜０．４０が好ましく、０．１２〜０．３０がより好ましい。ｄ１／ｄが下限値以上であれば、歯周ポケットの清掃力が高く、毛束耐久性に優れた歯ブラシ用毛となる。ｄ１／ｄが上限値以下であれば、歯グキへのあたり心地がやさしく、毛裂け耐久性に優れた歯ブラシ用毛となる。
複数の分岐軸部の直径が互いに異なる場合は、それぞれの分岐軸部についてｄ１／ｄが０．１０以上となるようにする。また、全ての分岐軸部について、ｄ１／ｄが前記範囲内となることが好ましい。
【００２２】
分岐軸部１６の直径ｄ１は、３０μｍ以上が好ましく、３０〜７０μｍがより好ましく、３０〜４５μｍがさらに好ましい。分岐軸部１６の直径ｄ１が下限値以上であれば、本体部１２の先端１２ｂが直接歯グキ等に当たることを抑制しやすくなるため、歯グキ等への当たり心地が優しい歯ブラシ用毛が得られやすく、さらに毛束耐久性に優れた歯ブラシ用毛となる。分岐軸部１６の直径ｄ１が上限値以下であれば、歯グキへのあたり心地がやさしく、毛裂け耐久性に優れた歯ブラシ用毛となる。
なお、分岐軸部の直径は、分岐軸部の断面形状が円形状以外の場合は、当該断面形状の外接円の直径を意味するものとする。
複数の分岐軸部の直径ｄ１は、同じであってもよく、異なっていてもよい。
【００２３】
本体部１２の直径ｄは、６〜８．５ｍｉｌが好ましく、ハブラシに求められるかたさに応じて選択できる。
なお、１ｍｉｌは０．０２５ｍｍを意味する。また、本体部の直径は、本体部の断面形状が円形状以外の場合は、当該断面形状の外接円の直径を意味するものとする。
【００２４】
歯ブラシ用毛１０が式（２）の条件を満たすことで、歯グキ等への当たり心地が優しく、また耐久性に優れ、使用時に用毛が裂けにくい歯ブラシ用毛１０となる。
本体部１２の断面積Ｓに対する仮想円Ｂの面積ＳＢの比（ＳＢ／Ｓ）は、０．１０〜０．３７であり、０．１５〜０．３５が好ましく、０．２０〜０．３０がより好ましい。ＳＢ／Ｓが下限値以上であれば、分岐部が細くなりすぎて本体部の先端部が直接歯グキ等に当たることを抑制できるため、歯グキ等への当たり心地が優しくなる。また分岐部が細くなりすぎないために優れた耐久性が得られ、使用時に用毛が裂けにくくなる。さらに、歯周ポケットへの分岐部の進入実感が増すうえ、生産性にも優れる。ＳＢ／Ｓが上限値以下であれば、分岐軸部から本体部の外側面までの肉厚が充分に確保されるため、使用時に用毛が裂けにくくなる。
【００２５】
本体部における最も太い部分を軸方向に垂直な方向に切断した切断面において、分岐軸部と本体部の外側面との距離ｄ２（肉厚）は、上記の条件を満たせば規定しないが、４０μｍ以上が好ましい。前記距離ｄ２が４０μｍ以上であれば、使用時に歯ブラシ用毛が分岐部の根元から裂けることが抑制されやすい。
【００２６】
歯ブラシ用毛１０が式（３）の条件を満たすことで、歯周ポケットの清掃力が高く、歯グキ等への当たり心地が優しいうえ、耐久性に優れ、使用時に用毛が裂けにくい歯ブラシ用毛１０となる。
仮想円Ｂの面積ＳＢに対する仮想円Ａの面積ＳＡの比（ＳＡ／ＳＢ）は、０．０３〜０．３５であり、０．０６〜０．２１が好ましく、０．０７〜０．１３がより好ましい。ＳＡ／ＳＢが下限値以上であれば、本体部の先端を囲うように配置された複数の分岐部によって本体部の先端部が歯周ポケットの清掃時に機能しづらくなることを抑制できる。これにより、本体部の先端部による清掃効果が充分に発揮されるため、歯周ポケットの清掃力が高くなる。ＳＡ／ＳＢが上限値以下であれば、分岐部が細くなりすぎて本体部の先端部が直接歯グキ等に当たることを抑制できるため、歯グキ等への当たり心地が優しくなる。また分岐部が細くなりすぎないために優れた耐久性が得られ、使用時に用毛が裂けにくくなる。さらに、歯周ポケットへの分岐部の進入実感が増すうえ、生産性にも優れる。
【００２７】
歯ブラシ用毛１０は、式（１）〜（３）の条件に加えて、下式（４）の条件を満たすことが好ましい。これにより、用毛先端部の平面視において分岐部の密度が高くなることで、使用感が向上する。
ｄ１＞ｄＡ  ・・・（４）
ただし、前記式（４）中、ｄＡは、仮想円Ａの直径であり、ｄ１は、分岐軸部１６の直径である。
本発明では、全ての分岐軸部がそれぞれ式（４）の条件を満たしていることが特に好ましい。
【００２８】
分岐部１４の長さＬ１と、分岐部１４の基端から本体部１２の先端１２ｂまでの長さＬ２は、Ｌ１＞Ｌ２が好ましいが、各々の長さ及びその比については特に限定されない。
【００２９】
本体部の一方の先端部に形成される分岐部の本数は、分岐軸部の本数と同じになる。
分岐軸部及び本体部の一方の先端部に形成される分岐部の本数は、この例では４本であるが、３本以下であってもよく、５本以上であってもよい。前記本数は、４本以上が好ましく、４〜２０本がより好ましく、４〜１５本がさらに好ましく、５〜７本が特に好ましい。前記本数が下限値以上であれば、歯グキ等への当たり心地が優しく、毛先での歯磨き剤の保持力が高い歯ブラシ用毛が得られやすい。前記本数が上限値以下であれば、分岐部の毛腰が柔らかくなりすぎることを抑制しやすく、歯周ポケットの清掃力が向上する。また、条件（１）〜（３）を満たすように分岐軸部を配置することが容易になる。
【００３０】
本発明の歯ブラシ用毛においては、本体部の一方の先端部のみに複数の分岐部が形成されていてもよく、本体部の長さ方向の両方の先端部にそれぞれ複数の分岐部が形成されていてもよい。
【００３１】
本発明の歯ブラシ用毛は、樹脂によって形成される。
歯ブラシ用毛を形成する樹脂としては、溶解処理によって本体部の先端に複数の分岐部を形成できるものであればよく、例えば、ポリエステル、ポリアミド、ポリオレフィン等が挙げられる。なかでも、歯ブラシ用毛を形成する樹脂としては、ポリエステルが好ましい。
【００３２】
ポリエステルとしては、例えば、ポリエチレンテレフタレート（ＰＥＴ）、ポリトリメチレンテレフタレート（ＰＴＴ）、ポリブチレンテレフタレート（ＰＢＴ）、ポリエチレンナフタレート（ＰＥＮ）、ポリブチレンナフタレート（ＰＢＮ）等が挙げられる。
ポリアミドとしては、例えば、６１２ナイロン、６１０ナイロン等が挙げられる。
ポリオレフィンとしては、例えば、ポリエチレン（ＰＥ）、ポリプロピレン（ＰＰ）等が挙げられる。
【００３３】
歯ブラシ用毛を形成する樹脂としては、前記したような樹脂の中から、分岐軸部を形成する樹脂よりも本体部を形成する樹脂の方が、溶解処理に用いる溶解液に対する溶解度が大きくなるように、それぞれの樹脂の組み合わせを選択すればよい。これにより、後述する溶解処理によって、本体部の先端部から突出する分岐部が形成された歯ブラシ用毛が得られる。
【００３４】
分岐軸部を形成する樹脂としては、１種を単独で使用してもよく、２種以上を組み合わせて使用してもよい。同様に、本体部を形成する樹脂としては、１種を単独で使用してもよく、２種以上を組み合わせて使用してもよい。
分岐軸部を形成する樹脂と本体部を形成する樹脂の組み合わせとしては、本体部を形成する樹脂がＰＢＴであり、分岐軸部を形成する樹脂がＰＢＮである組み合わせが好ましい。これにより、先端部が先端に向かって徐々に細くなっている分岐部を備え、歯グキ等への当たり心地が優しい歯ブラシ用毛を容易に得ることができる。
【００３５】
本発明の歯ブラシ用毛の製造方法は、特に限定されず、公知の方法を利用することができる。
例えば、分岐軸部を形成する樹脂としてＰＢＮ等を用い、本体部を形成する樹脂がＰＢＴ等を用いて、前記した式（１）〜（３）の条件を満たすように、分岐軸部が長さ方向に全体的に本体部で覆われた柱状の用毛前駆体を紡糸する。次いで、該用毛前駆体の先端部分を溶解液に浸漬する。これにより、溶解液に対する溶解度が高く、溶解速度が遅い分岐軸部が先端部において露出し、本体部の先端部から突出した複数の分岐部が形成される。
【００３６】
溶解液としては、使用する樹脂に応じて適宜選択すればよく、例えば、水酸化ナトリウム水溶液、水酸化カリウム水溶液等のアルカリ性溶液、硫酸水溶液等の酸性溶液、有機溶媒等が挙げられる。分岐軸部の材質をＰＢＮ、本体部の材質をＰＢＴとする場合等、用毛前駆体にポリエステルを用いる場合は、水酸化ナトリウム水溶液が好ましい。
【００３７】
溶解処理における溶解液の温度は、樹脂及び溶解液の組み合わせ等によって適宜設定すればよく、例えば溶解液として水酸化ナトリウム水溶液を用いる場合、１２０〜１４０℃が好ましい。
溶解処理を行った後の歯ブラシ用毛に対しては、必要に応じて、中和、水洗、乾燥等の処理を行う。
【００３８】
以上説明した本発明の歯ブラシ用毛においては、本体部の中心軸回りに環状に配置され、式（１）〜（３）の条件を満たす複数の分岐軸部によって、本体部における先端に向かって徐々に細くなる先端部から、複数の分岐部が突出して形成されている。これにより、本発明の歯ブラシ用毛は、毛先での歯磨き剤の保持力が高く、歯グキ等への当たり心地が優しく、歯周ポケットの清掃力が高いうえ、使用時に用毛が裂けにくい優れた耐久性を有している。
【００３９】
なお、本発明の歯ブラシ用毛は、前記した歯ブラシ用毛１０には限定されない。
例えば、本発明の歯ブラシ用毛は、図３に例示した歯ブラシ用毛１０Ａであってもよい。図３における図２と同じ部分は同符号を付して説明を省略する。
歯ブラシ用毛１０Ａは、４本の分岐軸部１６が本体部１２の中心軸回りに環状に配置される代わりに、５本の分岐軸部１６が本体部１２の中心軸回りに等角度間隔で環状に配置されている以外は、歯ブラシ用毛１０と同じである。歯ブラシ用毛１０Ａにおける５本の分岐軸部１６は、歯ブラシ用毛１０の場合と同様に、それらの中心軸がそれぞれ平面視で同一円周上に位置するように配置されている。
【００４０】
歯ブラシ用毛１０Ａにおいても、式（１）〜（３）の条件を満たしていることで、毛先での歯磨き剤の高い保持力、歯グキ等への優しい当たり心地、歯周ポケットの高い清掃力、及び使用時に用毛が裂けにくい優れた耐久性が得られる。
【００４１】
本発明においては、平面視において、複数の分岐軸部が、それらの中心軸がそれぞれ平面視で同一円周上に位置するように配置されていなくてもよい。例えば、本発明の歯ブラシ用毛は、図４に例示した歯ブラシ用毛１０Ｂであってもよい。図４における図２と同じ部分は同符号を付して説明を省略する。
歯ブラシ用毛１０Ｂは、環状に配置された４本の分岐軸部１６のそれぞれの中心軸が、平面視で同一円周上に位置していない以外は、歯ブラシ用毛１０と同じである。歯ブラシ用毛１０Ｂでは、本体部１２における最も太い部分を軸方向に垂直な方向に切断した切断面において、仮想円Ａが本体部１２の中心軸に最も近い分岐軸部１６のみと接している。また、仮想円Ｂが本体部１２の中心軸から最も通り分岐軸部１６のみと接している。
【００４２】
歯ブラシ用毛１０Ｂにおいても、式（１）〜（３）の条件を満たしていることで、毛先での歯磨き剤の高い保持力、歯グキ等への優しい当たり心地、歯周ポケットの高い清掃力、及び使用時に用毛が裂けにくい優れた耐久性が得られる。
【００４３】
本発明の歯ブラシは、図５に例示した歯ブラシ用毛１０Ｃであってもよい。図５における図２と同じ部分は同符号を付して説明を省略する。
歯ブラシ用毛１０Ｃは、直径が異なる５本の分岐軸部１６が、それらの中心軸がそれぞれ同一円周上に位置しないように配置されている以外は、歯ブラシ用毛１０と同じである。
【００４４】
歯ブラシ用毛１０Ｃにおいても、式（１）〜（３）の条件を満たしていることで、毛先での歯磨き剤の高い保持力、歯グキ等への優しい当たり心地、歯周ポケットの高い清掃力、及び使用時に用毛が裂けにくい優れた耐久性が得られる。
【００４５】
［歯ブラシ］
本発明の歯ブラシは、本発明の歯ブラシ用毛がヘッド部に植設された歯ブラシである。本発明の歯ブラシは、本発明の歯ブラシ用毛がヘッド部に植設されている以外は、公知の態様を採用することができる。
本発明の歯ブラシにおいては、用毛として本発明の歯ブラシ用毛のみを使用してもよく、本発明の歯ブラシ用毛とそれ以外の公知の用毛とを組み合わせて使用してもよい。
【００４６】
本発明の歯ブラシとしては、例えば、図６に例示した歯ブラシ１が挙げられる。
本実施形態の歯ブラシ１は、ハンドル体２と、ハンドル体２に植設された、歯ブラシ用毛１０を含む複数の毛束２０とを備える。
ハンドル体２は、棒状のハンドル部３と、ハンドル部３の先端に延設され、ハンドル部３よりも細いネック部４と、ネック部４の先端に設けられ、複数の毛束２０が植設されるヘッド部５と、を備えている。
【００４７】
ハンドル部３の形状、長さ、太さ等の態様は、特に限定されず、歯ブラシ１を使用する対象者に応じて適宜設計すればよい。ネック部４、ヘッド部５についても同様に、歯ブラシ１を使用する対象者に応じて適宜設計すればよい。
ハンドル体２を形成する材料としては、特に限定されず、公知の樹脂を使用することができる。
【００４８】
毛束２０は、歯ブラシ用毛１０のみを使用して形成してもよく、歯ブラシ用毛１０とそれ以外の公知の用毛とを組み合わせて使用して形成してもよい。毛束２０の毛丈及び太さは、毛束２０に求められる毛腰等を勘案して決定することができる。
【００４９】
ヘッド部５の植毛面５ａに毛束２０を植設する態様は、特に限定されない。この例では、植毛面５ａの先端寄りと後端寄りに、それぞれ幅方向に２本の毛束２０が植設され、それらの間の領域に幅方向に３本の毛束２０が並び、かつ軸方向に４本の毛束２０が並ぶように１２本の毛束２０が植設されている。
【００５０】
本発明の歯ブラシの製造方法は、特に限定されず、公知の方法を採用することができる。
ハンドル体を製造する方法としては、例えば、射出成形が挙げられる。
ハンドル体のヘッド部に毛束を植設する方法としては、例えば、平線式植毛法、熱溶着式植毛法、インモールド法等が挙げられる。
【００５１】
以上説明した本発明の歯ブラシにおいては、本発明の歯ブラシ用毛を備えているため、毛先での歯磨き剤の保持力が高く、歯グキ等への当たり心地が優しく、歯周ポケットの清掃力が高く、使用時に用毛が裂けにくく耐久性に優れている。
【００５２】
なお、本発明の歯ブラシは、前記した歯ブラシ１には限定されない。例えば、本発明の歯ブラシは、本発明の歯ブラシ用毛の２種以上を組み合わせて使用した毛束を備えるものであってもよい。
【実施例】
【００５３】
以下、実施例によって本発明を詳細に説明するが、本発明は以下の記載によっては限定されない。
［当たり心地］
１０人のモニターが、各例の歯ブラシで口腔内を清掃し、その際の歯肉への当たり心地を下記の評価基準で評価した。モニター１０人の平均点が４点以上を「○」、平均点２点以上４点未満を「△」、平均点２点未満を「×」とした。
（評価基準）
５点：歯肉の痛みがなく、当たり心地が非常に優しい。
４点：歯肉の痛みがなく、当たり心地がとても優しい。
３点：歯肉の痛みがなく、当たり心地が優しい。
２点：歯肉に弱い痛みを感じる。
１点：歯肉に強い痛みを感じる。
【００５４】
［歯周ポケット清掃力］
１０人のモニターが、各例の歯ブラシで口腔内を清掃し、その際の歯周ポケットの清掃効果を下記の評価基準で評価した。モニター１０人の平均点が４点以上を「○」、平均点２点以上４点未満を「△」、平均点２点未満を「×」とした。
（評価基準）
５点：歯周ポケットの汚れが落ちた感触を非常に感じる。
４点：歯周ポケットの汚れが落ちた感触を強く感じる。
３点：歯周ポケットの汚れが落ちた感触を感じる。
２点：歯周ポケットの汚れが落ちた感触をあまり感じない。
１点：歯周ポケットの汚れが落ちた感触を感じない。
【００５５】
［毛裂け耐久性］
各例の歯ブラシ用毛の毛裂け耐久性は、以下の方法で評価した。１０人のモニターが、各例の歯ブラシで１日３回、３分間ずつ口腔内を清掃し、３０日間使用した歯ブラシを回収し、植毛面の外周に配置された全ての植毛穴に植設された歯ブラシ用毛について下記の評価基準で評価した。各例について、歯ブラシ１０本中、最も評価の悪かった歯ブラシにおける、外周の各植毛穴の歯ブラシ用毛のうちの最も悪い評価結果を、その例の毛裂け耐久性の評価結果とした。
（評価基準）
○：分岐部間の裂け目の最下端から用毛先端までの長さが用毛長の１／３未満である。
△：分岐部間の裂け目の最下端から用毛先端までの長さが用毛長の１／３以上２／３未満である。
×：分岐部間の裂け目の最下端から用毛先端までの長さが用毛長の２／３以上である。
【００５６】
［毛束耐久性］
各例の歯ブラシ用毛の耐久性は、以下の方法で評価した。１０人のモニターが、各例の歯ブラシで１日３回、３分間ずつ口腔内を清掃し、３０日間使用した歯ブラシを回収し、歯ブラシ背面から観察した時の毛束の開き具合を、下記の評価基準で評価した。各例について、歯ブラシ１０本中、最も悪い評価結果を、その例の毛束耐久性の評価結果とした。
（評価基準）
○：背面から見てヘッド部からはみ出ている毛束は見られない。
△：背面から見てヘッド部からはみ出ている毛束が１つ以上半分未満である。
×：背面から見てヘッド部からはみ出ている毛束が半分以上である。
【００５７】
［実施例１］
図１に例示した歯ブラシ用毛を製造した。
具体的には、分岐軸部を形成する樹脂としてＰＢＮを用い、本体部を形成する樹脂がＰＢＴを用いた紡糸により用毛前駆体を得た。次いで、化学処理を行い、本体部の先端部から突出した４本の分岐部を備える図１に例示した歯ブラシ用毛を得た。
得られた歯ブラシ用毛における分岐軸部の本数は４本であり、本体部における最も太い部分を軸方向に垂直な方向に切断した切断面において、本体部の直径ｄは１９０μｍ、分岐軸部の直径ｄ１は３０μｍ、分岐軸部と本体部の外側面との距離ｄ２（肉厚）は５０μｍ、仮想円Ａの直径ｄＡは６．２μｍ、仮想円Ａの面積ＳＡは３０μｍ２、仮想円Ｂの面積ＳＢは９０μｍ２であった。ＳＢ／Ｓは０．２２４であり、ＳＡ／ＳＢは０．１１１であった。
次いで、１つの毛束あたりの用毛数が４０本になるように、２０本の前記歯ブラシ用毛を２つ折りとして、射出成形により成形したハンドル体におけるヘッド部の植毛面に平線式植毛法により植設し、図６に示す態様の歯ブラシを得た。
【００５８】
［実施例２、３及び比較例１〜４］
本体部の直径ｄ、分岐軸部の直径ｄ１、分岐軸部と本体部の外側面との距離ｄ２、仮想円Ａの直径ｄＡ、仮想円Ａの面積ＳＡ、仮想円Ｂの面積ＳＢ、ＳＢ／Ｓ及びＳＡ／ＳＢを表１に示すとおりに変更した以外は、実施例１と同様にして歯ブラシを得た。
各例の評価結果を表１に示す。
【００５９】
【表１】
0006579691.tif 000002
【００６０】
表１に示すように、式（１）〜（３）の条件を満たす歯ブラシ用毛を備える実施例１〜３の歯ブラシでは、歯肉への当たり心地が優しく、歯周ポケットの清掃力が高く、また使用時に用毛が裂けにくく耐久性に優れていた。
歯ブラシ用毛が式（１）〜（３）の条件のいずれか１つ以上を満たさない比較例１〜４の歯ブラシは、歯肉への当たり心地、歯周ポケットの清掃力及び耐久性を兼ね備えていなかった。
【符号の説明】
【００６１】
１  歯ブラシ
２  ハンドル体
３  ハンドル部
４  ネック部
５  ヘッド部
５ａ  植毛面
１０  歯ブラシ用毛
１２  本体部
１２ａ  先端部
１２ｂ  先端
１４  分岐部
１６  分岐軸部
２０  毛束
【図１】
0006579691.tif 000003
【図２】
0006579691.tif 000004
【図３】
0006579691.tif 000005
【図４】
0006579691.tif 000006
【図５】
0006579691.tif 000007
【図６】
0006579691.tif 000008